(57)【要約】【課題】プリ発光時の測光結果に応じてストロボのマニュアル光量を変更する際に、変更後のマニュアル光量を確実に適正発光量とすることができる撮影システム、照明装置、制御方法、並びにプログラムを提供する。【解決手段】測光回路１０６を備えるカメラ本体１００と発光部を備える照明装置３００とを有するカメラストロボシステムにおいて、カメラマイコン１０１は、マニュアル発光モードにおいてマニュアル光量がユーザ操作により第一の範囲内で設定された後、ＦＥＬＫボタンがオンされたとき、測光回路１０６によるプリ発光の前後での測光結果に基づきメイン適正発光量を演算する。ストロボマイコン３１０は、メイン適正発光量が第一の範囲外であって、照明装置３００において自動調光が可能な、第一の範囲よりも広い第二の範囲内にある場合、メイン適正発光量にマニュアル光量を変更する。【選択図】図３
2020095178.tif 000002
【特許請求の範囲】
【請求項１】
被写体からの反射光を測光する測光回路を備える撮像装置と、プリ発光及びメイン発光を行う発光部を備える照明装置とを有する撮影システムであって、
マニュアル発光モードにおいて、前記メイン発光の際の前記発光部による発光量をユーザ操作により第一の範囲内で設定する設定手段と、
前記設定手段により前記メイン発光の際の前記発光部による発光量が設定された後、前記マニュアル発光モードにおいてメータードマニュアルでの発光量自動調整が開始したとき、前記測光回路による前記プリ発光の前後での測光結果に基づきメイン適正発光量を演算する演算手段と、
前記演算されたメイン適正発光量が、前記第一の範囲外であって、前記照明装置において自動調光が可能な、前記第一の範囲よりも広い第二の範囲内にある場合、前記メイン適正発光量に前記メイン発光の際の前記発光部による発光量を変更する変更手段とを備えることを特徴とする撮影システム。
【請求項２】
ユーザ操作に応じて、前記マニュアル発光モードにおいて前記メータードマニュアルでの発光量自動調整を開始する開始手段を更に備えることを特徴とする請求項１記載の撮影システム。
【請求項３】
ユーザ操作に応じて、前記メータードマニュアルでの発光量自動調整の時の前記メイン発光の際の前記発光部による発光量の設定範囲を前記第一の範囲とするか前記第二の範囲とするかを選択する選択手段をさらに備え、
前記選択手段により前記メイン発光の際の前記発光部による発光量の設定範囲を前記第二の範囲とすることが選択された場合に、前記変更手段は前記メイン適正発光量に前記メイン発光の際の前記発光部による発光量を変更することを特徴とする請求項１又は２記載の撮影システム。
【請求項４】
前記変更手段により前記メイン発光の際の前記発光部による発光量が変更された場合、その旨を知らせる第１の表示手段を更に備えることを特徴とする請求項１乃至３のいずれか１項に記載の撮影システム。
【請求項５】
前記選択手段により前記メイン発光の際の前記発光部による発光量の設定範囲を前記第一の範囲とすることが選択された場合であって、前記演算手段により演算された前記メイン適正発光量が前記第一の範囲外でであって前記第二の範囲内にある場合、前記メイン発光の際の前記発光部による発光量の設定範囲を前記第二の範囲に拡大することを促す表示を行う第２の表示手段を更に備えることを特徴とする請求項３記載の撮影システム。
【請求項６】
前記変更手段により前記メイン発光の際の前記発光部による発光量に変更した場合、ユーザ操作に応じた前記メイン発光の際の前記発光部による発光量の再設定を許可する再設定許可範囲を前記第二の範囲に決定する決定手段と、
前記決定された再設定許可範囲内で、ユーザ操作に応じて前記メイン発光の際の前記発光部による発光量を再設定する再設定手段とを更に備え、
前記決定手段は、前記再設定された発光量が前記第一の範囲内にある場合、前記再設定許可範囲を前記第一の範囲に変更することを特徴とする請求項１乃至５のいずれか１項に記載の撮影システム。
【請求項７】
前記決定手段が前記再設定許可範囲を前記第一の範囲に変更した後、ユーザ操作に応じて、前記メータードマニュアルでの発光量自動調整を再開する再開手段と、
前記再開手段により前記メータードマニュアルでの発光量自動調整が再開された場合、前記測光回路による前記プリ発光の前後での測光結果に基づきメイン適正発光量を再演算する再演算手段と、
前記再演算されたメイン適正発光量が、前記第一の範囲外であって、前記第二の範囲内にある場合、前記メイン適正発光量に前記メイン発光の際の前記発光部による発光量を再変更する再変更手段とを更に備えることを特徴とする請求項６記載の撮影システム。
【請求項８】
前記演算されたメイン適正発光量と前記変更手段により変更された前記メイン発光の際の前記発光部による発光量との光量差をユーザ操作により変更可能に表示する第３の表示手段と、
前記再設定される発光量が前記第一の範囲外であって前記第二の範囲内である場合、前記再設定手段は、前記光量差のユーザ操作による変更に応じて、前記メイン発光の際の前記発光部による発光量を再設定することを特徴とする請求項６記載の撮影システム。
【請求項９】
被写体からの反射光を測光する測光回路を備える撮像装置と接続する、プリ発光及びメイン発光を行う発光部を備える照明装置であって、
マニュアル発光モードにおいて、第一の範囲内でユーザ設定された、前記メイン発光の際の前記発光部による発光量を取得する第１の取得手段と、
前記マニュアル発光モードにおいてメータードマニュアルでの発光量自動調整を開始した場合、前記測光回路による前記プリ発光の前後での測光結果に基づくメイン適正発光量を取得する第２の取得手段と、
前記メイン適正発光量が、前記第一の範囲外であって、前記照明装置において自動調光が可能な、前記第一の範囲よりも広い第二の範囲内にある場合、前記メイン適正発光量に前記メイン発光の際の前記発光部による発光量を変更する変更手段とを備えることを特徴とする照明装置。
【請求項１０】
被写体からの反射光を測光する測光回路を備える撮像装置と、プリ発光及びメイン発光を行う発光部を備える照明装置とを有する撮影システムの制御方法であって、
マニュアル発光モードにおいて、前記メイン発光の際の前記発光部による発光量をユーザ操作により第一の範囲内で設定する設定ステップと、
前記設定ステップにおいて前記メイン発光の際の前記発光部による発光量が設定された後、前記マニュアル発光モードにおいてメータードマニュアルでの発光量自動調整を開始したとき、前記測光回路による前記プリ発光の前後での測光結果に基づきメイン適正発光量を演算する演算ステップと、
前記演算されたメイン適正発光量が、前記第一の範囲外であって、前記照明装置において自動調光が可能な、前記第一の範囲よりも広い第二の範囲内にある場合、前記メイン適正発光量に前記メイン発光の際の前記発光部による発光量を変更する変更ステップとを有することを特徴とする制御方法。
【請求項１１】
請求項１０記載の制御方法を実行することを特徴とするプログラム。
【発明の詳細な説明】
【技術分野】
【０００１】
本発明は、撮影システム、照明装置、制御方法、並びにプログラムに関し、特に、カメラとストロボを備え、ストロボの発光量を設定可能な撮影システム、照明装置、制御方法、並びにプログラムに関する。
【背景技術】
【０００２】
従来、マニュアル発光モードでのメイン発光時のストロボの発光量（以下、マニュアル光量という）の設定を適正且つ容易に行うことができる、カメラとストロボを備えた撮影システムが知られている。
【０００３】
例えば、特許文献１ではストロボのプリ発光を実施し、被写体からの反射光を測光した測光結果に応じてマニュアル光量を自動的に変更する撮影システムが開示されている。
【先行技術文献】
【特許文献】
【０００４】
【特許文献１】特開２０１１−５９４０６号公報
【発明の概要】
【発明が解決しようとする課題】
【０００５】
しかしながら、特許文献１に開示される方法でマニュアル光量を変更する場合、マニュアル発光モードにおいてユーザが設定できる範囲内でしかマニュアル光量を変更することができないため、ストロボの調光可能な範囲を十分に使用することが出来ない。
【０００６】
例えば、図７に示すように、ストロボの最大発光量（０段）を基準とする場合に−４段の発光量でプリ発光を行った後、自動調光でメイン発光時の適正発光量を演算することが可能な範囲は、０段から−１１段の範囲７０１となる。しかし、自動調光の際と同一条件でプリ発光を行った後、特許文献１の方法でマニュアル光量を変更することが可能な範囲は、０段から−７段の範囲７０２に限定される。そのため、自動調光で演算されるメイン発光時の適正発光量が−７段より小さい発光量であった場合、マニュアル光量をその適正発光量に変更することは出来ない。
【０００７】
そこで、本発明の目的は、プリ発光時の測光結果に応じてストロボのマニュアル光量を変更する際に、変更後のマニュアル光量を確実に適正発光量とすることができる撮影システム、照明装置、制御方法、並びにプログラムを提供することである。
【課題を解決するための手段】
【０００８】
本発明の請求項１に係る撮影システムは、被写体からの反射光を測光する測光回路を備える撮像装置と、プリ発光及びメイン発光を行う発光部を備える照明装置とを有する撮影システムであって、マニュアル発光モードにおいて、前記メイン発光の際の前記発光部による発光量をユーザ操作により第一の範囲内で設定する設定手段と、前記設定手段により前記メイン発光の際の前記発光部による発光量が設定された後、前記マニュアル発光モードにおいてメータードマニュアルでの発光量自動調整が開始したとき、前記測光回路による前記プリ発光の前後での測光結果に基づきメイン適正発光量を演算する演算手段と、前記演算されたメイン適正発光量が、前記第一の範囲外であって、前記照明装置において自動調光が可能な、前記第一の範囲よりも広い第二の範囲内にある場合、前記メイン適正発光量に前記メイン発光の際の前記発光部による発光量を変更する変更手段とを備えることを特徴とする。
【０００９】
本発明の請求項９に係る照明装置は、被写体からの反射光を測光する測光回路を備える撮像装置と接続する、プリ発光及びメイン発光を行う発光部を備える照明装置であって、マニュアル発光モードにおいて、第一の範囲内でユーザ設定された、前記メイン発光の際の前記発光部による発光量を取得する第１の取得手段と、前記マニュアル発光モードにおいてメータードマニュアルでの発光量自動調整を開始した場合、前記測光回路による前記プリ発光の前後での測光結果に基づくメイン適正発光量を取得する第２の取得手段と、前記メイン適正発光量が、前記第一の範囲外であって、前記照明装置において自動調光が可能な、前記第一の範囲よりも広い第二の範囲内にある場合、前記メイン適正発光量に前記メイン発光の際の前記発光部による発光量を変更する変更手段とを備えることを特徴とする。
【発明の効果】
【００１０】
本発明によれば、プリ発光時の測光結果に応じてストロボのマニュアル光量を変更する際に、変更後のマニュアル光量を確実に適正発光量とすることができる。
【図面の簡単な説明】
【００１１】
【図１】本発明の実施例１に係る撮影システムとしてのカメラストロボシステムの概略構成を示すブロック図である。
【図２】図１のカメラストロボシステムの概略断面を示す図である。
【図３】実施例１に係るメータードマニュアルでの発光量自動調整処理の手順を示すフローチャートである。
【図４】実施例１に係る発光量変更処理の手順を示すフローチャートである。
【図５】実施例１に係る発光量再設定処理の手順を示すフローチャートである。
【図６Ａ】実施例１に係る発光量設定範囲の表示を示す例である。
【図６Ｂ】図６Ａの続きである。
【図７】ストロボの自動調光時の発光量設定範囲と従来のマニュアル光量変更時の発光量設定範囲の関係を示す図である。
【発明を実施するための形態】
【００１２】
以下に、本発明の好ましい実施の形態を、添付の図面に基づいて詳細に説明する。
【００１３】
（実施例１）
以下、図１、図２を参照して、本発明の実施例１に係る撮影システムとしてのカメラストロボシステムの概略構成を説明する。
【００１４】
図１のブロック図に示す通り、カメラストロボシステムは、撮像装置であるカメラ本体１００、カメラ本体１００に着脱可能に装着されたレンズユニット２００、及びカメラ本体１００に着脱可能に装着された照明装置３００を含む。
【００１５】
なお、図１、図２において同一のものは同じ符号をつけている。
【００１６】
まず、カメラ本体１００内の構成及び動作について説明する。
【００１７】
ＣＣＰＵ（以下、カメラマイコン）１０１はマイクロコンピュータであって、カメラ本体１００の各部を制御する。
【００１８】
カメラマイコン１０１は、例えばＣＰＵ、ＲＯＭ、ＲＡＭ、入出力制御回路（Ｉ／Ｏコントロール回路）、マルチプレクサ、タイマー回路、ＥＥＰＲＯＭ、Ａ／Ｄ、Ｄ／Ａコンバータ等を含むマイコン内蔵ワンチップＩＣ回路構成となっている。
【００１９】
そして、カメラマイコン１０１は、カメラ本体１００の制御をソフトウェアで行い、各種の条件判定を行う。
【００２０】
撮像素子１０２は、赤外カットフィルタやローパスフィルタ等を含むＣＣＤ、ＣＭＯＳ等の撮像素子であり、後述のレンズ群２０２によって撮影時に被写体像が結像され、アナログ信号の画像データとして出力する。
【００２１】
シャッター１０３は、撮像素子１０２を遮光する位置と、撮像素子１０２を露光する位置とに移動する。カメラマイコン１０１は、不図示のシャッター制御回路に指令して、シャッター１０３を駆動させる。
【００２２】
図２に示すように、カメラストロボシステムにおいて、主ミラー（ハーフミラー）１０４は、ミラーダウン位置とミラーアップ位置とに移動する。ここで、ミラーダウン位置とは、レンズ群２０２より入射する光の一部を主ミラー１０４が反射しピント板１０５に被写体像として結像させる位置を指す。また、ミラーアップ位置とは、レンズ群２０２より入射する光の撮像素子１０２への撮影光路（以下、単に「光路」という。）内から主ミラー１０４が退避した位置を指す。
【００２３】
また、ピント板１０５（図２）に結像された被写体像は不図示の光学ファインダーを介してユーザにより確認される。
【００２４】
測光回路（ＡＥ回路）１０６は、その内部に備える測光センサー（不図示）の結像面を複数の領域に分割しそれぞれの領域で測光を行う。測光回路１０６内の測光センサーは、後述するペンタプリズム１１４を介してピント板１０５に結像された被写体像が導かれる。
【００２５】
焦点検出回路（ＡＦ回路）１０７は、その内部に複数点を測距ポイントを有する測距センサー（不図示）を備え、各測距点のデフォーカス量などの焦点距離情報をカメラマイコン１０１に出力する。
【００２６】
ゲイン切換回路１０８は、撮像素子１０２から出力されるアナログ信号を増幅させる。ゲイン切換回路１０８における増幅率の切り換えは、撮影の条件やユーザの操作等に応じてカメラマイコン１０１により行われる。
【００２７】
Ａ／Ｄ変換器１０９は、ゲイン切換回路１０８で増幅された撮像素子１０２からのアナログ信号をデジタル信号に変換する。
【００２８】
タイミングジェネレータ（ＴＧ）１１０は、増幅された撮像素子１０２からのアナログ信号のＡ／Ｄ変換器１０９への入力タイミングとＡ／Ｄ変換器１０９におけるその入力されたアナログ信号のデジタル信号への変換タイミングを同期させる。
【００２９】
信号処理回路１１１は、Ａ／Ｄ変換器１０９でデジタル信号に変換された画像データに対して信号処理を行う。
【００３０】
通信ラインＳＣは、カメラ本体１００、レンズユニット２００、及び照明装置３００の間のインタフェースの信号ラインである。例えば、カメラマイコン１０１をホストとしてデータの交換やコマンドの伝達などの情報の通信を、後述するレンズユニット２００のレンズマイコン２０１及び照明装置３００のストロボマイコン３１０と相互に行う。
【００３１】
通信ラインＳＣの一例として、図１の端子１２０、端子１３０に３端子式のシリアル通信の例を示す。
【００３２】
端子１２０は、カメラマイコン１０１と直接接続される、レンズユニット２００を着脱する端子である。端子１２０は、カメラ本体１００とレンズユニット２００の通信の同期をとるためのＳＣＬＫ＿Ｌ端子、レンズユニット２００にデータを送信するＭＯＳＩ＿Ｌ端子、レンズユニット２００から送信されたデータを受信するＭＩＳＯ＿Ｌ端子を含む。また、端子１２０は、カメラ本体１００とレンズユニット２００との両方をつなぐＧＮＤ端子も含む。
【００３３】
端子１３０は、カメラインターフェース回路１００１を介してカメラマイコン１０１に接続される、アクセサリシューといったカメラ本体１００と照明装置３００やカメラアクセサリ装置（不図示）を着脱する端子である。端子１３０は、カメラ本体１００と照明装置３００の通信の同期をとるためのＳＣＬＫ＿Ｓ端子、カメラ本体１００から照明装置３００にデータを送信するＭＯＳＩ＿Ｓ端子、照明装置３００から送信されたデータを受信するＭＩＳＯ＿Ｓ端子を含む。また、端子１３０はカメラ本体１００と照明装置３００との両方をつなぐＧＮＤ端子も含む。
【００３４】
カメラインターフェース回路１００１は、カメラマイコン１０１とストロボインターフェース回路３０００に端子１３０を介して通信を行う。
【００３５】
カメラマイコン１０１から後述のストロボマイコン３１０にデータを送信する時は、ＳＣＬＫ＿Ｓ端子の８ビットのクロックに同期してＭＯＳＩ＿Ｓ端子より各ビットを０，１とすることでデータをシリアルで送信する。
【００３６】
また、ストロボマイコン３１０からカメラマイコン１０１にデータを送信する時は、ＳＣＬＫ＿Ｓ端子の８ビットのクロックに同期してＭＩＳＯ＿Ｓ端子より各ビットを０，１とするデータをシリアル受信する。
【００３７】
８ビット（１バイト）通信でＳＣＬＫ＿Ｓ信号の立ち上がりで信号の読み書きを行っているが、この８ビット通信をコマンド、コマンドデータ、データと複数回連続で送信を行う。
【００３８】
入力部１１２は、電源スイッチ、レリーズスイッチ、設定ボタンなどの操作部を含んでいて、カメラマイコン１０１は、入力部１１２へのユーザ入力に応じて各種処理を実行する。後述するメータードマニュアルでの発光量自動調整を撮影の際に実施する場合に使用するＦＥＬＫボタンも入力部１１２に含まれる。また、後述するマニュアル発光モードにおいて、ユーザがメイン発光時の照明装置３００の発光部の発光量（以下、マニュアル光量という）を変更する際に使用する操作部も入力部１１２に含まれる。なお、メイン発光は撮影に同期させる発光のことを表し、後述するプリ発光はメイン発光時の発光量を決定するための予備的な発光のことを表すものとする。
【００３９】
入力部１１２のレリーズスイッチが１段階操作（半押し）されると「ＳＷ１」がＯＮとなり、カメラマイコン１０１は焦点調節や測光などの撮影準備動作を開始させる。また、レリーズスイッチが２段階操作（全押し）されると「ＳＷ２」がＯＮとなり、カメラマイコン１０１は露光や現像処理などの撮影動作を開始させる。
【００４０】
また、入力部１１２の設定ボタンなどを操作することで、カメラ本体１００に装着される照明装置３００の各種設定を行うこともできる。
【００４１】
表示部１１３は、液晶装置や発光素子を有し、これらを用いて各種設定されたモードやその他の撮影情報などを表示する。
【００４２】
図２に示すペンタプリズム１１４は、ピント板１０５に結像する被写体像を測光回路１０６内の測光センサー及び不図示の光学ファインダーにも導く。
【００４３】
図２に示すサブミラー１１５は、レンズユニット２００の後述するレンズ群２０２より入射し主ミラー１０４を透過した光を焦点検出回路１０７の測距センサーへ導く。
【００４４】
姿勢検出回路１４０は、姿勢差を検出する回路であり、水平方向の姿勢差を検出する姿勢Ｈ検出部１４０ａ、垂直方向の姿勢差を検出する姿勢Ｖ検出部１４０ｂ、及び前後方向（Ｚ方向）の姿勢差を検出する姿勢Ｚ検出部１４０ｃを備える。
【００４５】
姿勢検出回路１４０には、例えば、角速度センサーやジャイロセンサーが用いられる。姿勢検出回路１４０により検出された各方向の姿勢差に関する姿勢情報はカメラマイコン１０１に入力される。
【００４６】
次に、レンズユニット２００内の構成と動作について説明する。
【００４７】
ＬＰＵ（以下、レンズマイコン）２０１はマイクロコンピュータであって、レンズユニット２００の各部を制御する。
【００４８】
レンズマイコン２０１は、例えばＣＰＵ、ＲＯＭ、ＲＡＭ、入出力制御回路（Ｉ／Ｏコントロール回路）、マルチプレクサ、タイマー回路、ＥＥＰＲＯＭ、Ａ／Ｄ、Ｄ／Ａコンバータ等を含むマイコン内蔵ワンチップＩＣ回路構成となっている。
【００４９】
レンズ群２０２は、フォーカスレンズやズームレンズなどを含む複数枚のレンズで構成されている。なお、レンズ群２０２にはズームレンズは含まれなくてもよい。
【００５０】
レンズ駆動部２０３は、レンズ群２０２に含まれる各レンズを移動させる駆動系であり、レンズ群２０２の駆動量は、カメラ本体１００内にある焦点検出回路１０７の出力に基づいてカメラマイコン１０１内にて演算される。カメラマイコン１０１内にて演算された駆動量は、カメラマイコン１０１からレンズマイコン２０１に送信される。
【００５１】
エンコーダ２０４は、レンズ群２０２の位置を検出し駆動情報を出力する。エンコーダ２０４からの駆動情報に基づき、カメラマイコン１０１内にて演算された駆動量分だけレンズ駆動部２０３がレンズ群２０２を移動させて焦点調節を行う。
【００５２】
絞り２０５は、通過する光量を調節する絞りであって、絞り制御回路２０６を介してレンズマイコン２０１により制御される。
【００５３】
次に、照明装置３００の構成について説明する。
【００５４】
照明装置３００は、カメラ本体１００に着脱可能に装着される本体部３００ａと、本体部３００ａに対して上下方向及び左右方向に回動可能に保持される可動部３００ｂにより構成される。
【００５５】
ＦＰＵ（以下、ストロボマイコン）３１０はマイクロコンピュータであって、照明装置３００の各部を制御する。
【００５６】
ストロボマイコン３１０は、例えばＣＰＵ、ＲＯＭ、ＲＡＭ、入出力制御回路（Ｉ／Ｏコントロール回路）、マルチプレクサ、タイマー回路、ＥＥＰＲＯＭ、Ａ／Ｄ、Ｄ／Ａコンバータ等を含むマイコン内蔵ワンチップＩＣ回路構成となっている。
【００５７】
ストロボインターフェース回路３０００は、カメラマイコン１０１と端子１３０を介して通信を行う。
【００５８】
電池３０１は、照明装置３００の電源（ＶＢＡＴ）として機能する。
【００５９】
昇圧回路ブロック３０２は、昇圧部３０２ａ、電圧検出に用いる抵抗３０２ｂ，３０２ｃ、及びメインコンデンサ３０２ｄで構成される。昇圧部３０２ａは、電池３０１の電圧を数百Ｖに昇圧し、これによりメインコンデンサ３０２ｄに発光のための電気エネルギーを充電させる。
【００６０】
メインコンデンサ３０２ｄの充電電圧は抵抗３０２ｂ，３０２ｃにより分圧され、分圧された電圧はストロボマイコン３１０のＡ／Ｄ変換端子ＭＣＶ＿ＡＤに入力される。
【００６１】
トリガー回路３０３は、後述の放電管３０５を励起させためのパルス電圧を放電管３０５に印加する。
【００６２】
発光制御回路３０４は、放電管３０５の発光の開始及び停止を制御する。
【００６３】
放電管３０５は、トリガー回路３０３から印加される数ＫＶのパルス電圧を受け励起してメインコンデンサ３０２ｄに充電された電気エネルギーを用いて発光する。
【００６４】
積分回路３０９は、後述のフォトダイオード３１４の受光電流を積分し、その出力は後述するコンパレータ３１５の反転入力端子とストロボマイコン３１０のＡ／Ｄコンバータ端子ＩＮＴ＿ＡＤに入力される。
【００６５】
コンパレータ３１５の非反転入力端子は、ストロボマイコン３１０内のＤ／Ａコンバータ端子ＩＮＴ＿ＤＡＣに接続され、コンパレータ３１５の出力は後述するＡＮＤゲート３１１の入力端子に接続される。
【００６６】
ＡＮＤゲート３１１のもう一方の入力は、ストロボマイコン３１０の発光制御端子ＦＬ＿ＳＴＡＲＴと接続され、ＡＮＤゲート３１１の出力は発光制御回路３０４に入力される。
【００６７】
フォトダイオード３１４は、放電管３０５から発せられる光を受光するセンサーであり、直接またはグラスファイバーなどを介して放電管３０５から発せられる光を受光する。
【００６８】
反射傘３０６は、放電管３０５から発せられる光を反射させて所定の方向へ導く。
【００６９】
ズーム光学系３０７は、光学パネルなどを含む光学系であって、放電管３０５との相対位置を変更可能に保持されていて、放電管３０５とズーム光学系３０７との相対位置を変更することにより、照明装置３００のガイドナンバー及び照射範囲を変化させる。
【００７０】
照明装置３００の発光部は、主に、上述の放電管３０５、反射傘３０６、ズーム光学系３０７で構成され、発光部の照射範囲は、ズーム光学系３０７の移動により変化し、発光部の照射方向は可動部３００ｂの回動により変化する。
【００７１】
入力部３１２は、電源スイッチ、照明装置３００の動作モードを設定するモード設定スイッチや各種パラメータを設定する設定ボタンなどの操作部を含み、ストロボマイコン３１０は、入力部３１２へのユーザ入力に応じて各種処理を実行する。照明装置３００の調光補正の設定の変更するための操作部も入力部３１２に含まれる。
【００７２】
表示部３１３は、液晶装置や発光素子を有し、これらを用いて照明装置３００の各状態を表示する。また、後述する調光範囲の下限を下回った場合の警告表示を行うためのＬＥＤもこの表示部３１３に含まれる。
【００７３】
ズーム駆動回路３３０は、放電管３０５とズーム光学系３０７の相対位置に関する情報を検出するエンコーダを含むズーム検出部３３０ａと、ズーム光学系３０７を移動させるためのモーターを含むズーム駆動部３３０ｂで構成される。
【００７４】
ズーム光学系３０７の駆動量は、レンズマイコン２０１から出力される焦点距離情報をカメラマイコン１０１を介して取得したストロボマイコン３１０によって焦点距離情報に基づいて演算される。
【００７５】
姿勢検出回路３６０は、姿勢差を検出する回路であり、水平方向の姿勢差を検出する姿勢Ｈ検出部３６０ａ、垂直方向の姿勢差を検出する姿勢Ｖ検出部３６０ｂ、及び前後方向（Ｚ方向）の姿勢差を検出する姿勢Ｚ検出部３６０ｃを備える。
【００７６】
姿勢検出回路３６０には、例えば、角速度センサーやジャイロセンサーが用いられる。姿勢検出回路３６０により検出された各方向の姿勢差に関する姿勢情報はストロボマイコン３１０に入力される。
【００７７】
無線ユニット３７０は、公知の無線ユニットであり、ワイヤレス送受信で照明装置３００全体を制御する。
【００７８】
ワイドパネル３８０は、発光部の照射方向前方の位置にあって、発光部の照射範囲を拡大させることのできる光学部材であり、可動部３００ｂから手動で引き出される。
【００７９】
バウンスアダプタ３９０は、発光部の照射範囲を拡大させることのできる光学部材であり、発光部の照射方向前方の位置にかぶせられる。
【００８０】
なおワイドパネル３８０は、被写体方向の発光を拡散するが、バウンスアダプタ３９０は上下左右に発光を拡散する違いがあり被写体方向へは発光を拡散させない。
【００８１】
次に、プリ発光前後での測光結果に応じて、マニュアル光量を変更する際に、変更後のマニュアル光量を確実に適正発光量とすべく、マニュアル光量の変更時の発光量設定範囲を拡大するメータードマニュアルでの発光量自動調整について説明する。
【００８２】
図３は、実施例１に係るメータードマニュアルでの発光量自動調整処理の手順を示すフローチャートである。本処理は、カメラマイコン１０１により実行される。尚、本フローチャートでは、発光量設定範囲の拡大もせず、適正光量への設定もしない、通常のいわゆるマニュアル発光モードのシーケンスも含めて説明する。
【００８３】
まず、カメラマイコン１０１は、カメラ本体１００の入力部１１２へのユーザの入力操作によりマニュアル発光モードが設定されたと判断した場合（ステップＳ１００でＹＥＳ）、自身のメモリやポートの初期化を行う。また、入力部１１２に含まれるスイッチの状態や予め設定された入力情報を読み込み、シャッタースピードの決め方や、絞りの決め方等様々な撮影モードの設定を行う。また、このマニュアル発光モードおいて設定可能な範囲（後述する第一の範囲）内で入力部１１２へのユーザ操作によりマニュアル光量がユーザ設定されると、カメラマイコン１０１は、ストロボマイコン３１０に送信する。
【００８４】
ステップＳ１０１で、カメラ本体１００の動作を開始した後、ユーザが入力部１１２のプリ発光を行うスイッチであるＦＥＬＫボタンをオンにし、後述するメータードマニュアルでの発光量自動調整の開始指示をしたか否かを判別する。この判別の結果、ＦＥＬＫボタンがオンされた場合はステップＳ１０２に進み、オンされなかった場合はステップＳ１０８へ移行する。ちなみに、ステップＳ１０１でＦＥＬＫボタンがオンされず、ステップＳ１０８へ移行した場合、その後の処理は本処理の終了まで発光量設定範囲の拡大もせず、マニュアル光量の変更もしない、いわゆる従来のマニュアル発光モードのシーケンスとなる。
【００８５】
ステップＳ１０２で、カメラマイコン１０１は、メータードマニュアルでの発光量自動調整を開始すると、ストロボマイコン３１０にプリ発光を指示すると共に、そのプリ発光中に測光回路１０６により被写体反射光を測光し、その測光結果を取得する。その後、カメラマイコン１０１はその取得した測光結果に基づき照明装置３００によるメイン発光時の適正発光量（以下メイン適正発光量という）を求め、照明装置３００に送信する。照明装置３００では、このメイン適正発光量に応じてカメラマイコン１０１から取得したマニュアル光量からメイン発光時の発光量を変更する。その後、ＳＷ２がオンとなった時点で、絞り制御回路２０６を駆動して適正絞りを設定する。それとともに主ミラー１０４、サブミラー１１５を上部に跳ね上げて光路上から退去させ、主ミラー１０４、サブミラー１１５の駆動終了とともにシャッター１０３を開き、照明装置３００によりメイン発光を行わせる。本発明は、マニュアル発光モード時においてメータードマニュアルでの発光量自動調整を開始した場合に、図４で後述するように上記メイン適正発光量に応じて照明装置３００においてマニュアル光量を変更する際の動作に特徴がある。
【００８６】
ステップＳ１０２では、測光回路１０６により被写体輝度値Ｂｖを測光する。そして、ステップＳ１０３で、ステップＳ１０２にて取得した測光結果に基づいて、周知のアルゴリズムにより露出演算を行い適正露光量（ＥｖＳ）を決定する。また、これとともに、設定された露出モードに従ってシャッター１０３のシャッター速度と絞り２０５の絞り値を決定する。
【００８７】
次に、ステップＳ１０４で、ストロボマイコン３１０に対して所定の発光量を指示し、照明装置３００の発光部にプリ発光を行わせる。そして、ステップＳ１０５で、プリ発光時の被写体反射光を測光回路１０６で測光し、プリ発光時の露光量（ＥｖＦ）を求める。
【００８８】
さらに、ステップＳ１０６で、ステップＳ１０３にて求めた適正露光量（ＥｖＳ）からステップＳ１０５にて測光したプリ発光時の露光量（ＥｖＦ）を減算することによりメイン適正発光量を求める。すなわち、自然光下の被写体輝度から照明装置３００のプリ発光による反射光輝度を差し引くことにより、メイン発光時の際に適正な露出を得るために必要な発光輝度を求め、この発光輝度となるメイン適正発光量を演算する。
【００８９】
ステップＳ１０７で、カメラマイコン１０１はステップＳ１０６で求めたメイン適正発光量をストロボマイコン３１０に送信する。ストロボマイコン３１０は、カメラマイコン１０１から取得したメイン適正発光量と、現在設定されている発光量設定範囲とに基づいて発光量の変更処理を行う。このストロボマイコン３１０による発光量の変更処理については、図４のフローチャートを用いて後述する。
【００９０】
ここで、本実施例では発光量設定範囲は第一の発光量設定範囲と第二の発光量設定範囲の２つがある場合について説明する。
【００９１】
第一の発光量設定範囲（以下、単に第一の範囲という）はメータードマニュアルでの発光量自動調整を行わないマニュアル発光モードにおいてユーザが設定可能な範囲である。本実施例では、第一の範囲は、最大発光量を基準として、１／１（０段）から１／１２８（−７段）までの範囲である。第二の発光量設定範囲（以下、単に第二の範囲という）は、メータードマニュアルでの発光量自動調整を行う場合にストロボマイコン３１０が自動調光することが可能な範囲である。本実施例では、第二の範囲は、１／１（０段）から１／２０４８（−１１段）までの範囲である。このように、第二の範囲は、第一の範囲より小さい発光量についても設定可能となっており、その範囲は第一の範囲に比べ拡大されている。すなわち、この拡大された範囲の発光量については、メータードマニュアルでの発光量自動調整を行わないマニュアル発光モードにおいてはユーザが入力部３１２を操作して設定することは出来ない。また、ステップＳ１０７でカメラマイコン１０１からストロボマイコン３１０が受信したメイン適正発光量がこの拡大された発光量の領域内であった場合のみ、ストロボマイコン３１０によってマニュアル光量がメイン適正発光量に変更される。
【００９２】
また、本実施例ではステップＳ１００の時点でメイン発光時の発光量（マニュアル光量）は、表示部３１３に表示される図６Ａ（ａ）の画面にある黒四角６０１に示す通り、発光量設定範囲は第一の範囲にある発光量１／１がユーザにより設定されている。ここで、図６Ａ（ａ）の発光量バー６００は設定可能な発光量を表示するための発光量バーであり、第一の範囲である発光量１／１（０段）から１／１２８（−７段）までの範囲を表示することが可能である。図６Ａ（ａ）の黒四角６０１は設定されている発光量を示す。すなわち、図６Ａ（ａ）の発光量バー６００と黒四角６０１によりマニュアル光量が１／１に設定されていることがわかる。図６Ａ（ａ）では発光量バー６００に発光量１／１から１／４の範囲が表示されているが入力部３１２を操作することで発光量バー６００が表示する発光量の範囲が変更される。それに連動して黒四角６０１で示す設定されているマニュアル光量も発光量１／１（０段）から１／１２８（−７段）までの範囲で変更される。
【００９３】
図４は、実施例１に係る発光量変更処理の手順を示すフローチャートである。本処理は、ストロボマイコン３１０により実行される。
【００９４】
ステップＳ２００において、図３のステップＳ１０７でカメラマイコン１０１からメイン適正発光量を受信したと判断した場合、ステップＳ２０１に進む。
【００９５】
ステップＳ２０１では、現在の発光量設定範囲とステップＳ２００で受信したメイン適正発光量を元にメイン適正発光量が現在の発光量設定範囲外かどうかの判別を行う。現在の発光量設定範囲外でない場合、ステップＳ２０６へ移行し、発光量をステップＳ２００で受信したメイン適正発光量に変更する。現在の発光量設定範囲外の場合はステップＳ２０２へ移行する。尚、本実施例においては、現在の発光量設定範囲として第一の範囲が設定されている。
【００９６】
ステップＳ２０６へ移行し、発光量をステップＳ１００で設定されていたマニュアル光量からステップＳ２００で受信したメイン適正発光量に変更したときの表示例を図６Ａ（ｂ１）に示す。
【００９７】
図６Ａ（ｂ１）はステップＳ２００で受信したメイン適正発光量が１／１２８（−７段）であった場合に表示部３１３に表示される画面例である。図６Ａ（ｂ１）の発光量バー６００は図６Ａ（ａ）の発光量バー６００と同様、設定可能な発光量を表示するための発光量バーである。発光量バー６００には、図６Ａ（ａ）の画面では発光量１／１がマニュアル光量として設定されていたため１／１から１／４の範囲が表示されていた。これに対し、図６Ａ（ｂ１）の画面ではステップＳ２００で受信したメイン適正発光量である発光量１／１２８への変更に伴い、発光量バー６００には１／３２から１／１２８の範囲が表示されている。図６Ａ（ｂ１）の黒四角６０１は図６Ａ（ａ）の黒四角６０１と同様、設定されている発光量を示す。すなわち、図６Ａ（ｂ１）の発光量バー６００と黒四角６０１により変更後の発光量は１／１２８（−７段）に設定されていることがわかる。図６Ａ（ｂ１）の白四角６０２はメイン適正発光量を示し、光量差６０３はメイン適正発光量に対する、変更後の発光量の光量を示している。この例では変更後の発光量とメイン適正発光量が一致しているため、光量差６０３として「±０」が表示されている。
【００９８】
ステップＳ２０２では、ストロボマイコン３１０は現在の発光量設定範囲においてメイン適正発光量に最も近い光量に発光量を変更する。
【００９９】
ステップＳ２０３ではメイン適正発光量が第二の範囲内であるかどうかの判断をストロボマイコン３１０が行う。メイン適正発光量が第二の範囲内である場合、ステップＳ２０４へ移行し、ストロボマイコン３１０は、現在の発光量設定範囲（第一の範囲）を、メイン適正発光量を含む第二の範囲に変更（拡大）することを促す表示を行う。
【０１００】
図６Ｂ（ｃ１）は、ステップＳ２００において、ストロボマイコン３１０が受信したメイン適正発光量が１／５１２であって、且つ現在の発光量設定範囲が第一の範囲である場合に表示部３１３に表示される画面例である。図中の光量差６０３は、メイン適正発光量に対する、ステップＳ２０２での変更後の発光量を示している。ステップＳ２０２では、第一の範囲外にあるメイン適正発光量の１／５１２に発光量を設定することが出来ないため、第一の範囲においてメイン適正発光量に最も近い光量である１／１２８に発光量が変更されている。このため、光量差６０３に、メイン適正発光量の１／５１２に対して発光量が＋２段の設定となっていることが表示される。
【０１０１】
また、上述の、現在の発光量設定範囲（第一の範囲）をメイン適正発光量を含む第二の範囲に変更（拡大）することを促す表示として、レンジ６０６を表示する。
【０１０２】
その後、ステップＳ２０５でストロボマイコン３１０はユーザの入力部３１２の操作により第一の範囲から第二の範囲に発光量設定範囲が変更（拡大）されたか否かを判断する。変更された場合はステップＳ２０６へ移行し、発光量をメイン適正発光量に変更する。この場合、図６Ｂ（ｃ１）から図６Ａ（ｂ２）に画面が切り替わり、ユーザにメイン発光の発光量の設定範囲が第二の範囲に変更された旨を知らせた後、本処理を終了する。
【０１０３】
図６Ａ（ｂ２）は、ステップＳ２００で受信したメイン適正発光量が１／２０４８（−１１段）であって、且つステップＳ２０５で第二の範囲に発光量設定範囲が変更された場合にステップＳ２０６において表示部３１３に表示される画面例である。図中の黒矢印６０４は、ステップＳ２０６で変更された発光量が変更前の発光量設定範囲である第一の範囲外の発光量（１／１２８（−７段）より小さい発光量）であり、ユーザが直接設定することが出来ない発光量である旨を示す矢印である。
【０１０４】
また、図６Ａ（ｂ２）の白矢印６０５はメイン適正発光量が１／１２８より小さいことを表している。本実施例ではステップＳ２０６で発光量をメイン適正発光量に変更するため、図６Ａ（ｂ１）の光量差６０３と同じく「±０」が図６Ａ（ｂ２）の画面内の右側近傍に表示されている。
【０１０５】
尚、メイン適正発光量が１／１２８（−７段）よりも小さく、１／２０４８（−１１段）以上であって、現在の発光量設定範囲が第二の範囲である場合、表示部３１３に表示される画面は図６Ａ（ｂ２）に示す画面例と同じになる。
【０１０６】
一方、ステップＳ２０５で発光量設定範囲が変更されなかった場合、そのまま本処理を終了する。また、ステップＳ２０３でメイン適正発光量が第二の範囲外と判断された場合も、そのまま本処理を終了する。
【０１０７】
図６Ｂ（ｃ２）は、ステップＳ２０３において、メイン適正発光量が第二の範囲外と判断された場合に表示部３１３に表示される第１の画面例である。この例は、ステップＳ２００において、ストロボマイコン３１０が受信したメイン適正発光量が１／４０９６（−１２段）であって、且つ現在の発光量設定範囲が第一の範囲である場合の表示例である。この例の場合、発光量設定範囲を第二の範囲に設定を変更してもメイン適正発光量に発光量を設定することが出来ないため、図６Ｂ（ｃ１）で表示されるレンジ６０６は表示されない。また、ステップＳ２０２では、第一の範囲外にあるメイン適正発光量の１／４０９６に発光量を設定することが出来ないため、第一の範囲においてメイン適正発光量に最も近い光量である１／１２８に発光量が変更されている。このため、光量差６０３には、メイン適正発光量に対する、変更後の発光量の光量として＋５が表示されている。
【０１０８】
図６Ｂ（ｃ３）は、ステップＳ２０３において、メイン適正発光量が第二の範囲外と判断された場合に表示部３１３に表示される第２の画面例である。この例は、ステップＳ２００において、ストロボマイコン３１０が受信したメイン適正発光量設定が１／４０９６（−１２段）であって、且つ本実施例と異なり、現在の発光量設定範囲が第二の範囲である場合の表示例である。この例の場合、ステップＳ２０２で現在の発光量設定範囲である第二の範囲内でメイン適正発光量（１／４０９６）に最も近い光量設定である、１／２０４８（−１１段）に発光量は変更される。しかし、変更後の発光量はユーザが発光量の変更が可能な第一の範囲外（１／１２８より小さい）ため、図６Ａ（ａ）の黒四角６０１の代わりに黒矢印６０４が表示される。またメイン適正発光量も第一の範囲外（１／１２８より小さい）ため、図６Ａ（ｂ１）の白四角６０２の代わりに白矢印６０５が表示される。さらに、光量差６０３には、メイン適正発光量に対する、変更後の発光量として＋１が表示されている。図６Ｂ（ｃ３）の画面にはさらに、メイン適正発光量に発光量を設定できない旨を示すバツ印６０７が表示される。
【０１０９】
図５は、ストロボマイコン３１０により実行される、ユーザがステップＳ１０１でＦＥＬＫボタンをオンにした後、発光量を再設定する際に実行される発光量再設定処理の手順を示すフローチャートである。
【０１１０】
まず、ステップＳ３００ではストロボマイコン３１０は、図４の発光量変更処理を終了したか判断し、終了したと判断した場合にステップＳ３０１に進む。
【０１１１】
ステップＳ３０１ではストロボマイコン３１０はユーザによる発光量の再設定を許可する再設定許可範囲を決定する。ここで、現在の発光量設定範囲が第一の範囲である場合は発光量１／１（０段）から１／１２８（−７段）までの範囲を再設定許可範囲とする。一方、現在の発光量設定範囲が第二の範囲である場合は、発光量１／１（０段）から１／２０４８（−１１段）までの範囲を再設定許可範囲とする。
【０１１２】
ステップＳ３０２ではストロボマイコン３１０はユーザの入力部３１２の操作により再設定許可範囲内で発光量の再設定が行われたかの判断を行う。再設定が行われた場合、ステップＳ３０３へ移行し、行われなかった場合、そのまま本処理を終了する。
【０１１３】
ステップＳ３０３ではストロボマイコン３１０は再設定された発光量が、第一の範囲内にあるかどうかの判定を行う。第一の範囲内にある場合はステップＳ３０４へ移行し、第一の範囲外であって第二の範囲内にある場合はそのまま本処理を終了する。ステップＳ３０１で第一の範囲が発光量の再設定許可範囲として決定されていた場合もそのまま本処理を終了する。
【０１１４】
ステップＳ３０２〜Ｓ３０３において表示部３１３に表示される画面例を図６Ｂ（ｄ１），（ｄ２）に示す。ここでステップＳ３００の時点で適正発光量が１／５１２で表示部３１３に図６Ａ（ｂ２）の表示がされていたとする。この表示状態からステップＳ３０２でユーザが入力部３１２を操作して発光量の再設定を実施し発光量の設定を１／５１２から１／２５６に設定変更した場合、図６Ｂ（ｄ１）に示す表示となる。図６Ａ（ｂ２）で±０と表示されていた適正光量との光量差を示す数字が図６Ｂ（ｄ１）では＋１になっている。図６Ｂ（ｄ１）の発光量バーの表示は第一の範囲の下限が示されたままで図６Ａ（ｂ２）と同じである。すなわち、図６Ｂ（ｄ１）では、第二の範囲の適正光量からユーザによって発光量の再設定が行われた場合、適正光量との光量差を示す数字が変化することで再設定された発光量に変更したことをユーザに示す。
【０１１５】
図６Ｂ（ｄ１）の状態では、再設定された発光量は第二の範囲から第一の範囲に入っていないため第二の範囲内でユーザが発光量の再設定することが可能である。
【０１１６】
図６Ｂ（ｄ１）の状態からユーザがさらに発光量の設定を１／１２８に設定変更した場合、図６Ｂ（ｄ２）に示す表示となり、図６Ｂ（ｄ１）の黒矢印６０４が現在の設定値を示す表示（黒四角）になる。図６Ｂ（ｄ２）の適正光量との光量差を示す数字は図６Ｂ（ｄ１）時の＋１から＋２になっている。
【０１１７】
また、図６Ｂ（ｄ２）の表示時には発光量の再設定が可能な範囲が、第二の範囲から第一範囲に変わる。
【０１１８】
ステップＳ３０４でストロボマイコン３１０は発光量の再設定許可範囲を発光量１／１（０段）から１／１２８（−７段）までの範囲に変更する。ここでは発光量の再設定許可範囲を変更するだけであり、この後のステップＳ３０５でＦＥＬＫボタンがオンされ、メータードマニュアルでの発光量自動調整を再開した場合のステップＳ２０５で拡大される発光量設定範囲は第二の範囲のままとする。これにより、ステップＳ３０５でＦＥＬＫボタンをオンとするだけで、容易に第二の範囲での発光量の再変更を行うことが可能になる。
【０１１９】
ステップＳ３０５ではストロボマイコン３１０はＦＥＬＫボタンがオンされたか否かの判別を行い、押された場合は本処理を中断し、ＦＥＬＫボタンがオンされた旨をカメラマイコン１０１へ通知する。カメラマイコン１０１は、ストロボマイコン３１０よりＦＥＬＫボタンがオンされた旨の通知を受けると、図３のメータードマニュアルでの発光量自動調整処理を再開すべく、ステップＳ１０２へ移行する。その後、カメラマイコン１０１は、プリ発光前後の測光結果によるメイン適正発光量の再演算、再演算されたメイン適正発光量の照明装置３００への送信を行う。一方、ステップＳ３０５において押されなかった場合はそのまま本処理を終了する。
【０１２０】
ステップＳ３０２，Ｓ３０３，Ｓ３０５のいずれかでＮＯと判断され、本処理が終了すると、ストロボマイコン３１０はその旨をカメラマイコン１０１に通知する。この通知をうけ、カメラマイコン１０１は図３のメータードマニュアルでの発光量自動調整処理をステップＳ１０８へ移行させる。
【０１２１】
図３に戻り、ステップＳ１０８では、測光測距を開始するＳＷ１がオンされたか否かを判別し、オンであればステップＳ１０９に進み、オフであればステップＳ１０１に戻る。
【０１２２】
ステップＳ１０９では、焦点検出回路１０７による公知の位相差検出方法による焦点検出動作を行い、レンズマイコン２０１にフォーカス駆動を指示して焦点調節を行う。
【０１２３】
次に、ステップＳ１１０で、レリーズを開始するＳＷ２がオンされたか否かを判別し、オンであればステップＳ１１１進み、オフであればステップＳ１０１に戻る。
【０１２４】
ステップＳ１１１では、測光回路１０６により被写体輝度値Ｂｖ（＝Ｂｖｏ＋Ａｖｏ）を再測光する。これは、プリ発光後の構図変更に対応するためである。ステップＳ１０１でＦＥＬＫボタンがオンされていない場合はここで初めて測光を行う。そして、ステップＳ１１２で、ステップＳ１１１にて取得した測光結果に基づいて、周知のアルゴリズムにより露出演算を行い適正露出量（ＥｖＳ）を決定する。また、これとともに、設定された露出モードに従ってシャッター１０３のシャッター速度と絞り２０５の絞り値を決定する。続いてステップＳ１１３で、露光動作に先だって主ミラー１０４（図２）およびサブミラー１１５（図２）をアップし、撮影光路から退去させる。
【０１２５】
そして、ステップＳ１１４で、ステップＳ１１２で決定した絞り値をレンズマイコン２０１に指令し、絞り制御回路２０６により絞り２０５をその絞り値に設定させる。その後、シャッター制御回路に指令してシャッター１０３をステップＳ１１２で決定したシャッター速度で駆動させる。さらに、ステップＳ１１５で、シャッター１０３の駆動に合わせて、ストロボマイコン３１０に、現在設定されている発光量でのメイン発光を照明装置３００の発光部に行わせる。
【０１２６】
ステップＳ１１５のメイン発光が終了すると、ステップＳ１１６で、撮影光路から退去していた主ミラー１０４およびサブミラー１１５をダウン（撮影光路内に斜設）させ、本処理を終了する。
【０１２７】
以上説明したように、マニュアル発光モードにおいてメータードマニュアルでの発光量自動調整を開始した際、カメラマイコン１０１は、プリ発光の前後の測光結果からメイン適正発光量を演算する。また、ストロボマイコン３１０は、メイン適正発光量が第一の範囲外であって第二の範囲内にある場合、発光量をマニュアル光量からメイン適正発光量に変更する。これにより、照明装置３００の発光部による調光可能範囲を最大限利用することが出来る。そのため、メイン発光の際の発光量としてユーザが設定できる範囲が広がり、ストロボ撮影において好適な露出を得る機会を増大することが出来る。
【０１２８】
また、ステップＳ２０５，Ｓ３０２等のユーザ操作に応じて、メータードマニュアルでの発光量自動調整におけるメイン発光の際の発光量の設定範囲を第一の範囲とするか、第二の範囲とするかを選択する。これにより、ユーザは所望する範囲でメイン発光の際の発光量を設定することが可能となる。
【０１２９】
以上、本発明の好ましい実施形態について説明したが、本発明はこれらの実施形態に限定されず、その要旨の範囲内で種々の変形及び変更が可能である。
【０１３０】
例えば、本実施例では、図３のメータードマニュアルでの発光量自動調整はカメラマイコン１０１が行い、図４の発光量変更処理及び図５の発光量再設定処理はストロボマイコン３１０が行うとしたが、かかる形態に限定されない。例えば、全ての処理をカメラマイコン１０１又はストロボマイコン３１０の一方が実行し、カメラ本体１００側又は照明装置３００側で必要な情報は適宜その実行主体からカメラ本体１００側又は照明装置３００側に送信するようにしてもよい。
【０１３１】
［その他の実施例］
本発明の目的は、前述した実施例の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【０１３２】
この場合、記憶媒体から読み出されたプログラムコード自体が前述した実施例の機能を実現することになり、プログラムコード自体及びそのプログラムコードを記憶した記憶媒体は本発明を構成することになる。
【０１３３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１３４】
また、上述のプログラムコードの指示に基づき、装置上で稼動しているＯＳ（基本システムやオペレーティングシステム）などが処理の一部又は全部を行い、その処理によって前述した実施例の機能が実現される場合も含まれることは言うまでもない。
【０１３５】
さらに、記憶媒体から読み出されたプログラムコードが、装置に挿入された機能拡張ボードやコンピュータに接続された機能拡張ユニットに備わるメモリに書込まれ、前述した実施例の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【０１３６】
１００  カメラ本体
１０１  カメラマイコン
１０６  測光回路
１１２  入力部
１３０  端子
１００１  カメラインターフェース回路
３００  照明装置
３１０  ストロボマイコン
３１２  入力部
３１３  表示部
３０００  ストロボインターフェース回路
【図１】
2020095178.tif 000003
【図２】
2020095178.tif 000004
【図３】
2020095178.tif 000005
【図４】
2020095178.tif 000006
【図５】
2020095178.tif 000007
【図６Ａ】
2020095178.tif 000008
【図６Ｂ】
2020095178.tif 000009
【図７】
2020095178.tif 000010